(57)【要約】【解決手段】水平伸縮素子１０は、交流電圧の印加に応じてｘ方向に伸縮変位を生じる第１変位部１３と、第１変位部の伸縮の位相と反転した位相で、ｘ方向に伸縮変位を生じる第２変位部１４とを含む。水平伸縮素子１０は、ｘ方向に平行な第一対向面を有し、垂直伸縮素子１２は、当該垂直伸縮素子の伸縮方向に垂直な第二対向面を有し、水平伸縮素子の第一対向面のｘ方向の両端が、垂直伸縮素子の第二対向面に対して、それぞれ接合部１１によって接合固定されている。第一対向面と、接合部と、第二対向面とで形成される空洞Ｓが存在する。【効果】水平伸縮素子１０はｘ方向に沿ったその両端のみで拘束される形となる。空洞Ｓが存在しているので、水平伸縮素子１０は、中央部の拘束がなくなり、大きな水平振動変位を得ることができる。【選択図】図１
2007325337.tif 000002
【特許請求の範囲】
【請求項１】
水平伸縮素子と、垂直伸縮素子とを有し、前記水平伸縮素子に固定された駆動パッドを楕円運動させることのできる圧電アクチュエータにおいて、
前記水平伸縮素子は、交流電圧の印加に応じて一方向に伸縮変位を生じる第１変位部と、前記第１変位部の伸縮の位相と反転した位相で、前記一方向に伸縮変位を生じる第２変位部とを含み、
前記水平伸縮素子は、前記一方向に平行な第一対向面を有し、
前記垂直伸縮素子は、当該垂直伸縮素子の伸縮方向に垂直な第二対向面を有し、
前記水平伸縮素子の前記第一対向面の前記一方向の両端が、前記垂直伸縮素子の前記第二対向面に対して、それぞれ接合部によって接合固定され、
前記水平伸縮素子の第一対向面と、前記接合部と、前記垂直伸縮素子の第二対向面とで形成される空洞が存在することを特徴とする圧電アクチュエータ。
【請求項２】
前記接合部の形状は、前記第一対向面上において前記一方向に対して垂直な方向に延びており、かつ互いに平行である、請求項１記載の圧電アクチュエータ。
【請求項３】
前記水平伸縮素子は、圧電体を積層した積層体を含み、前記駆動パッドが前記積層体の、積層方向と垂直な面に固定されている請求項１記載の圧電アクチュエータ。
【請求項４】
前記空洞の、前記一方向に沿った長さが、前記水平伸縮素子の第一対向面の前記一方向に沿った全長さの５０％以上である請求項１記載の圧電アクチュエータ。
【請求項５】
前記空洞の、前記一方向に沿った長さが、前記垂直伸縮素子の第二対向面の前記一方向に沿った全長さの５０％以上である請求項１記載の圧電アクチュエータ。
【請求項６】
前記水平伸縮素子及び前記垂直伸縮素子は、複数枚の圧電体グリーンシートを積層・焼成して一体的に形成されたものであり、
前記空洞は、前記水平伸縮素子及び前記垂直伸縮素子の境界に存在するグリーンシートに塗布又は印刷された空孔形成ペーストが焼成により消失して出来たものである請求項１記載の圧電アクチュエータ。
【発明の詳細な説明】
【技術分野】
【０００１】
本発明は、Ｘ−Ｙステージ等の位置決め機構、リニアモータ、回転モータ等の送り機構、あるいはパーツフィーダの搬送機構等に用いられる圧電アクチュエータに関し、特に振動体の長辺方向伸び（３１モード変位）と厚み方向伸び（３３モード変位）とを利用した圧電アクチュエータに関するものである。
【背景技術】
【０００２】
圧電素子に交流電圧を印加し、圧電素子と一体形成された振動体に生じる進行性振動波により振動体に圧接された移動体を駆動する圧電アクチュエータ（進行波型超音波モータ）が知られている。
この圧電アクチュエータにおいて、共振子の寸法できまる縦方向の振動と横方向の振動とが縮退して定在波になるように、共振子の加工を行っていた。しかしながら、そのまま小型化を行うと、圧電アクチュエータの機械的寸法の許容範囲が狭くなるという問題があった。
【０００３】
それを解決する手段として、伸縮変位する部位と屈曲変位する部位を連結することで、駆動端に楕円運動を生じさせ、移動体を駆動する圧電アクチュエータが提案されている（図１４参照）。
この圧電アクチュエータは、圧電横効果（ｄ３１モード）により伸縮変位部と屈曲変位部がそれぞれの電圧で変位するので、伸縮振動の共振周波数と屈曲振動の共振周波数が異なっていても駆動ができるため、共振子の加工精度は高くなくても良いという利点がある。
【特許文献１】特開２００３−１６４１７４号公報
【特許文献２】特開２００４−９８３０４号公報
【発明の開示】
【発明が解決しようとする課題】
【０００４】
しかしながら、矩形状の伸縮変位部と矩形状の屈曲変位部とが素子の長手方向に連結されているため、素子寸法が長手方向に長くなってしまい、小型化という要求に対して不利となっている。
また、図１４に示した従来の構造の圧電アクチュエータでは、内部電極が露出する積層圧電体４２ａ，４２ｂの側面４１に移動体を接触させる方式であるために、移動体との接触による駆動時にこの積層圧電体４２ａ，４２ｂの側面４１に応力がはたらくことから圧電体と内部電極４３とが剥離しやすくなり、長期信頼性という点で問題点があった。
【０００５】
本発明は、このような事情に鑑みてなされたものであり、素子の小型化ができ、駆動時に応力がかかっても壊れにくい圧電アクチュエータを提供することを目的とする。
【課題を解決するための手段】
【０００６】
本発明の圧電アクチュエータは、水平伸縮素子は、交流電圧の印加に応じて一方向に伸縮変位を生じる第１変位部と、前記第１変位部の伸縮の位相と反転した位相で、前記一方向に伸縮変位を生じる第２変位部とを含み、前記水平伸縮素子は、前記一方向に平行な第一対向面を有し、前記垂直伸縮素子は、当該垂直伸縮素子の伸縮方向に垂直な第二対向面を有し、前記水平伸縮素子の前記第一対向面の前記一方向の両端が、前記垂直伸縮素子の前記第二対向面に対して、それぞれ接合部によって接合固定され、前記水平伸縮素子の第一対向面と、前記接合部と、前記垂直伸縮素子の第二対向面とで形成される空洞が存在するものである。
【０００７】
この構成によれば、接合部は、水平伸縮素子の前記一方向の両端に配置されており、かつ垂直伸縮素子の第二対向面に対して接合固定される。
一方、垂直伸縮素子の第二対向面は、当該垂直伸縮素子の伸縮方向に垂直であるので、垂直伸縮素子が振動変位しても前記一方向に変位を生じることはない。
したがって、水平伸縮素子は一方向に沿ったその両端のみで拘束される形となる。前記第１変位部が交流電圧の印加に応じて一方向に伸びれば、前記第２変位部は一方向に縮むので、前記水平伸縮素子に固定された駆動パッドは、一方向に移動する。前記第１変位部が縮めば前記第２変位部は伸びるので、前記駆動パッドはその逆方向に移動する。
【０００８】
そして、前記水平伸縮素子の第一対向面と、前記接合部と、前記垂直伸縮素子の第二対向面とで形成される空洞が存在しているので、水平伸縮素子は、中央部の拘束がなくなり、大きな水平振動変位を得ることができる。このようにして、本発明の圧電アクチュエータは、駆動パッドを効率よく駆動することができる。
また、水平伸縮素子の第一対向面と垂直伸縮素子の第二対向面どうしが対向しているため、各素子の設置面積を小さくすることが出来、小型化の要求を満足できる。
【０００９】
前記接合部の形状は、前記第一対向面上において前記一方向に対して垂直な方向に延びており、かつ互いに平行であることが好ましい。
この構成によれば、接合部と第一対向面との接合面積、接合部と第二対向面との接合面積を大きくとることができ、水平伸縮素子と垂直伸縮素子とを強固に固定することができる。したがって、圧電アクチュエータの性能の安定化、長寿命化を図ることができる。
【００１０】
さらに、前記水平伸縮素子は、圧電体を積層した積層体を含み、前記駆動パッドが前記積層体の、積層方向と垂直な面に固定されている構造であれば、駆動時に積層面を引き剥がす方向の応力が発生しにくくなり、壊れにくいアクチュエータを提供することができる。
さらに、接合部間の空洞の幅を水平伸縮素子又は前記垂直伸縮素子の全幅の５０％以上とすることにより、素子の変位をさらに大きなものにできる。
【００１１】
また、前記水平伸縮素子及び前記垂直伸縮素子を、複数枚の圧電体グリーンシートを積層・焼成して一体的に形成する場合は、前記空洞は、前記水平伸縮素子及び前記垂直伸縮素子の境界に存在するグリーンシートに塗布又は印刷された空孔形成ペーストを焼成により消失させて作ることができる。
【発明を実施するための最良の形態】
【００１２】
以下、本発明の圧電アクチュエータの実施の形態について図面を参照しながら説明する。
図１は圧電アクチュエータの一実施形態を示す断面図である。図２は圧電アクチュエータの斜視図である。図３は、圧電アクチュエータを、電極を省略して模式化して描いた図である。図１〜図３において、ｘ軸、ｙ軸、ｚ軸の関係を図示している。
【００１３】
圧電アクチュエータを番号１で、圧電アクチュエータ１によって駆動されｘ方向に移動する直線状の移動体を番号２で表す。
圧電アクチュエータ１は、ｘ方向に伸縮する水平伸縮素子１０と、該水平伸縮素子１０の下面（−ｚ方向を向いた面をいう。「第一対向面」という）に対向して配置され、ｚ方向に伸縮する垂直伸縮素子１２とを有している。
【００１４】
水平伸縮素子１０は直方体形状であり、その上面（＋ｚ方向を向いた面をいう）の中央部には駆動パッド１５が固定されている。この駆動パッド１５をｘｚ面内で楕円運動させることにより、駆動パッド１５に圧接された移動体２を駆動する。
垂直伸縮素子１２も、水平伸縮素子１０とほぼ同じ大きさの直方体形状であり、その垂直伸縮素子１２の伸縮方向に垂直な上面（＋ｚ方向を向いた面。「第二対向面」という）が水平伸縮素子１０に対向している。
【００１５】
水平伸縮素子１０の第一対向面のx方向の両端は、接合部１１によって、垂直伸縮素子１２の第二対向面のｘ方向の両端とそれぞれ接合されている。
接合部１１は、２つの保持部材２７，２８からなる。保持部材２７，２８は、それぞれ細長い直方体状であり、水平伸縮素子１０の伸縮方向であるｘ方向と垂直伸縮素子１２の伸縮方向であるｚ方向とに対して垂直な方向であるｙ方向に延びて配置されている。この保持部材２７，２８によって水平伸縮素子１０の第一対向面の両端と、垂直伸縮素子１２の両端とが互いに接着・固定される。
【００１６】
そして、水平伸縮素子１０の第一対向面の両端を除いた部分（中央部という）は、垂直伸縮素子１２の第二対向面と接合されない構成となっている。すなわち、水平伸縮素子１０の第一対向面と、２つの保持部材２７，２８と、垂直伸縮素子１２の第二対向面とで空洞Ｓが形成される。
水平伸縮素子１０は、複数の板状の圧電体２１と内部電極２２（２２Ａ，２２Ｂ）とが交互にｚ方向に積層された構造を有している。
【００１７】
水平伸縮素子１０は、互いに水平に連結された２つの部分からなる。１つは、−ｘ側に位置する第１変位部（Ａ）１３であり、他の１つは＋ｘ側に位置する第２変位部（Ｂ）１４である。
圧電体２１は、厚み方向（ｚ方向）に分極されており、内部電極２２を挟んでその分極の方向が互いに逆向きになっている。この分極の方向を図１においてＰで表す。同一の圧電体２１に注目すると、分極の方向は、第１変位部（Ａ）１３と第２変位部（Ｂ）１４とで逆向きになっている。
【００１８】
内部電極２２は、第１変位部（Ａ）１３と、第２変位部（Ｂ）１４とで分断されており、互いに非接続状態にある。それぞれの内部電極を２２Ａ，２２Ｂで表す。
第１変位部（Ａ）１３において、内部電極２２Ａは一層おきに接続されており、これにより一対の駆動電極が形成される。第２変位部（Ｂ）１４においても、内部電極２２Ｂは一層おきに接続されており、これにより他の一対の駆動電極が形成される。
【００１９】
第１変位部（Ａ）１３と第２変位部（Ｂ）１４とを逆向きに分極するには、所定の温度条件下で、外部電極２６を通して、前記「一対の駆動電極」と、前記「他の一対の駆動電極」とにそれぞれ直流電圧を印加する。直流電圧の正負の向きをそれぞれ設定することにより、圧電体２１の分極の方向を、第１変位部（Ａ）１３と第２変位部（Ｂ）１４とで逆向きにすることができる。
【００２０】
このような分極条件下で、これらの「一対の駆動電極」と「他の一対の駆動電極」とを並列に接続し、交流電圧を印加すると、圧電体２１には圧電定数ｄ３１に起因する長辺方向（ｘ方向）の伸び変位が発生し、水平伸縮素子１０はｘ方向に伸縮する。
ここに図４は、水平伸縮素子１０の第１変位部（Ａ）１３と第２変位部（Ｂ）１４の変位を示す説明図であり、電極の向きをＥで、分極の向きをＰでそれぞれ模式的に示している。
【００２１】
この場合、前述したように圧電体２１の分極の方向Ｐは第１変位部（Ａ）１３と第２変位部（Ｂ）１４とで逆向きになっているので、交流電圧の印加に応じて第１変位部（Ａ）１３の伸縮変位と、第２変位部（Ｂ）１４の伸縮変位とは、図４の矢印Ｍに示すように見かけ上同じ向きとなり、第１変位部（Ａ）１３が伸びれば、第２変位部（Ｂ）１４は縮む。水平伸縮素子１０の両端は、保持部材２７，２８でそれぞれ固定されているので、何にも固定されていない水平伸縮素子１０の中央部は、図４のようにｘ方向に移動する。
【００２２】
また、図４とは逆に第１変位部（Ａ）１３が縮めば、第２変位部（Ｂ）１４は延びる。水平伸縮素子１０の両端は保持部材２７，２８で固定されているので、何にも固定されていない水平伸縮素子１０の中央部は−ｘ方向に移動する。
なお、水平伸縮素子１０は第１変位部（Ａ）１３と第２変位部（Ｂ）１４とが連結された構造ではあるが、第１変位部（Ａ）１３と第２変位部（Ｂ）１４とは、別々に作製した後で連結するのではない。第１変位部（Ａ）１３と第２変位部（Ｂ）１４とは、同一グリーンシート上に、内部電極２２Ａと内部電極２２Ｂとを、互いに分離した状態で印刷し、積層し、積層されたグリーンシートを熱プレス等により一体化処理、焼成することによって得られるものである。
【００２３】
このように、第１変位部（Ａ）１３と第２変位部（Ｂ）１４とは位相が反転して伸縮するため、第１変位部（Ａ）１３と第２変位部（Ｂ）１４の変位の有無にかかわらず、第１変位部（Ａ）１３と第２変位部（Ｂ）１４のｘ方向の長さの合計は一定である。
したがって、水平伸縮素子１０の両端を接合部１１で固定し、第１変位部（Ａ）１３と第２変位部（Ｂ）１４の境界（水平伸縮素子１０の中央部）をｘ方向に往復運動させることができる。これにより、水平伸縮素子１０の中央に固定された駆動パッド１５は、ｘ軸方向に往復運動（振動）をする。
【００２４】
一方、垂直伸縮素子１２は、板状の圧電体２５と内部電極２６とが交互にｚ方向に積層された構造を有している。内部電極２６は一層おきに接続されており、こうして一対の駆動電極が形成される。圧電体２５は、厚み方向（ｚ方向）に分極されており、内部電極を挟んで分極の方向が逆向きになっている。したがって、外部電極２９を通して駆動電極に交流電圧を印加すると、圧電体２５には圧電定数ｄ３３に起因する厚み方向の伸び変位が発生し、ｚ方向に伸縮する。
【００２５】
この垂直伸縮素子１２は、グリーンシートに内部電極２２を印刷し、積層し、積層されたグリーンシートの熱プレス等により一体化処理し、焼成処理することによって得られる。
本発明の実施形態の特徴は、水平伸縮素子１０が、水平伸縮素子１０の伸縮方向（ｘ方向）の両端部で保持部材２７，２８を介して垂直伸縮素子１２に接合されており、水平伸縮素子１０の中央部は、垂直伸縮素子１２と接合されないで自由に動くことのできる構成となっていることである。つまり、水平伸縮素子１０の第一対向面と、保持部材２７，２８と、垂直伸縮素子１２の第二対向面とで形成される空洞Ｓが存在する。
【００２６】
もし、水平伸縮素子１０の第一対向面と垂直伸縮素子１２の第二対向面が全面で接合されていた場合は、第１変位部（Ａ）１３及び第２変位部（Ｂ）１４がｘ軸方向に逆位相で伸縮するのを阻害される。このために、水平伸縮素子１０の中央部がｘ方向に往復運動することが出来ない。つまり、水平伸縮素子１０の中央に固定された駆動パッド１５のｘ軸方向の往復運動ができなくなる。このため、移動体２を直線方向に駆動することができず、圧電アクチュエータ１の機能を実行できなくなる。
【００２７】
次に本圧電アクチュエータ１の動作原理を、図５〜図７を用いて詳しく説明する。
図５は、水平伸縮素子１０の印加電圧と変位との関係を示す図である。水平伸縮素子１０にV1=Asin(ωt)の交流電圧が印加されるものとする。ここでＡは電圧の振幅、ωは角周波数、ｔは時刻を表す。
図５(1)は、ｔ＝０の時点を表し、電圧が印加されていないため、第１変位部（Ａ）１３、第２変位部（Ｂ）１４ともに変位せず、駆動パッド１５は水平伸縮素子１０の中央に位置する。
【００２８】
図５(2)は、(1)から電圧の位相が９０°ずれた時点を示す。第１変位部（Ａ）１３では、分極方向と逆方向の電圧Ａが圧電体２１に印加されるため、圧電定数ｄ３１により、ｘ方向に伸びるのに対し、第２変位部（Ｂ）１４には分極方向と同じ方向の電圧が圧電体２１に印加されるため、圧電定数ｄ３１により、ｘ方向に縮む。そのため、駆動パッド１５はｘ軸の正方向に移動する。
【００２９】
図５(3)では電圧の位相が１８０°ずれ、電圧が０Ｖとなるため、第１変位部（Ａ）１３、第２変位部（Ｂ）１４ともに初期状態になり、駆動パッド１５は水平伸縮素子１０の中央に戻る。
図５(4)では２７０°の位相となり、第１変位部（Ａ）１３に−Aの電圧が印加され、分極方向と同じ方向の電圧が圧電体２１に印加されるため、圧電定数ｄ３１により、ｘ方向に縮むのに対し、第２変位部（Ｂ）１４は分極方向と逆方向の電圧が圧電体２１に印加されるため、圧電定数ｄ３１により、ｘ方向に伸びる。そのため、駆動パッド１５はｘ軸の負方向に移動する。
【００３０】
図５(5)は、一周期後を表し、電圧が印加されないため、第１変位部（Ａ）１３、第２変位部（Ｂ）１４ともに初期状態に戻り、駆動パッド１５は水平伸縮素子１０の中央に移動する。
以上のように、水平伸縮素子１０に正弦波の電圧を印加する事で、駆動パッド１５をｘ軸方向に往復運動させる事が可能となる。
【００３１】
次に、図６は、垂直伸縮素子１２の印加電圧と変位の関係を示す。垂直伸縮素子１２にV2=Acos(ωt)の交流電圧が印加されるものとする。時刻ｔはV1と共通とする。
図６(1)では、時刻ｔ＝０において垂直伸縮素子１２にＡの電圧が印加され、分極方向と同じ方向の電圧が圧電体２５に印加されるため、圧電定数ｄ３３により、垂直伸縮素子１２はｚ方向に伸びる。
【００３２】
図６(2)は、(1)から電圧の位相が９０°ずれた時点を示す。電圧が印加されないため、垂直伸縮素子１２は初期状態に戻り、変位ゼロとなる。
図６(3)では、１８０°の位相となり、垂直伸縮素子１２にV２=−Aの電圧が印加され、分極方向と逆方向の電圧が圧電体２５に印加されるため、圧電定数ｄ３３により、垂直伸縮素子１２はｚ方向に縮む。
【００３３】
図６(4)では２７０°の位相となり、電圧が印加されていないため、垂直伸縮素子１２は初期状態に戻り、変位ゼロとなる。
図６(5)は一周期後を表し、垂直伸縮素子１２にV２=Aの電圧が印加され、分極方向と同じ方向の電圧が圧電体２５に印加されるため、圧電定数ｄ３３により、垂直伸縮素子１２はｚ方向に伸びる。
【００３４】
以上のように、垂直伸縮素子１２に正弦波の電圧を印加する事で、垂直伸縮素子１２に接合された水平伸縮素子１０及び水平伸縮素子１０に固定された駆動パッド１５をｚ軸方向に往復運動させることが可能となる。
図５、図６に示すように、水平伸縮素子１０に印加する電圧Ｖ１と垂直伸縮素子１２に印加する電圧Ｖ２との位相を９０°ずらしているので、図７に示すように、駆動パッド１５にｚ−ｘ面内の楕円運動を生じさせることができる。
【００３５】
したがって圧電アクチュエータ１の駆動パッド１５を、ガイドレールに噛み合わされてガイドレールの長さ方向、つまりｘ方向に移動可能な可動体２に、所定の圧力で当接させれば、圧電アクチュエータ１を駆動することによってこの可動体をｘ方向に移動させることができる。
この場合、駆動パッド１５は、積層体の積層方向（ｚ方向）に垂直な面、すなわちこの実施の形態では水平伸縮素子１０の上面に固定されているため、内部電極が露出する積層体の側面に移動体を接触させる方式である従来の圧電アクチュエータに比較して積層面を引き剥がす方向の応力発生が低減されることも、本圧電アクチュエータ１の利点の１つとなる。
【００３６】
なお、内部電極が露出する積層体の側面に移動体を接触させる方式である従来の圧電アクチュエータについても、内部電極４３が露出する側面に補強部材４４を設ける（図１５（ａ））、内部電極４３を圧電体４２ａ，４２ｂから露出させないようにする（図１５（ｂ）（ｃ））等が提案されるが、内部電極４３が露出する側面に補強部材４４を設ける方式（図１５（ａ）および圧電体４２ａ，４２ｂを内部電極４３の平面方向にさらに延ばす方式（図１５（ｃ）；番号４５で示す）では、圧電アクチュエータの寸法が長くなり小型化に逆行することとなり採用が難しく、一方、内部電極４３を圧電体から露出させないようにする方式（図１５（ｂ））では、内部電極４３の長さが短くなるので圧電活性領域が狭くなり、結果的に圧電変位が小さくなり、小型高変位の圧電アクチュエータとして性能的に劣るものとなる。
【００３７】
次に、本発明の圧電アクチュエータ１の他の構造例について図８を用いて説明する。
図１と異なるポイントは、図８の水平伸縮素子１０の内部電極２２Ａと内部電極２２Ｂがすべて分割電極になるのでなく、図８に示すように、内部電極２２Ａのグランドに接続される電極と内部電極２２Ｂのグランドに接続される電極とが一体化されていることである。内部電極２２から引き出される電極が３つになり、このことにより、外部電極２６形成の作業を簡素化することができる。
【００３８】
次に、本発明の圧電アクチュエータ１のさらに他の構造について説明する。
図１の構造では、水平伸縮素子１０と垂直伸縮素子１２とを個別に積層・焼成する例を示したが、水平伸縮素子１０と垂直伸縮素子１２を一体で積層・焼成してもよい。
図９に、この水平伸縮素子１０と垂直伸縮素子１２とが一体に積層された構造を示す。
水平伸縮素子１０と垂直伸縮素子１２と境界面にある圧電体で満たしたくない部分（空洞Ｓが形成される部分）に対応するグリーンシート（圧電体２３となる部分）に、高温で焼成すれば焼消する樹脂を塗布又は印刷し、当該樹脂の形成されたグリーンシートを含む複数枚のグリーンシートを積層し、積層されたグリーンシートを熱プレス等により一体化処理を行うことで、積層体内の水平伸縮素子１０と垂直伸縮素子１２と境界面に樹脂のみの層を形成することができる。これを焼成すると、圧電体２３に、樹脂のみが占有していた部分に空洞Ｓが形成され、結果的に、水平伸縮素子１０と垂直伸縮素子１２が端部のみで接合された構造となる。
【００３９】
この構造の圧電アクチュエータ１は、水平伸縮素子１０と垂直伸縮素子１２とを個別に作製して接合部１１で接合する必要がなく、工程削減ができるので有利である。
以上で、本発明の実施の形態を説明したが、本発明の実施は、前記の形態に限定されるものではない。
例えば、本発明の圧電アクチュエータ１は、図１に示されるように、圧電体が３層積層された水平方向伸縮部１０と、圧電体が８層積層された垂直伸縮素子１２とを有しているが、圧電体の積層数は同じである必要はない。例えば、水平伸縮素子１０における圧電体の積層数を４層とし、垂直伸縮素子１２における圧電体の積層数を１０層とする等、その積層数は駆動特性を考慮して任意に定めることができる。また、各圧電体の厚さも同じである必要はなく、異なる厚さのものを用いても構わない。
【００４０】
また圧電アクチュエータ１は、共振又は非共振のいずれの周波数で駆動させてもよい。非共振周波数で水平伸縮素子１０及び垂直伸縮素子１２を駆動する場合には、圧電体としては、圧電定数ｄ３１及びｄ３３の大きい材料を用いることが好ましい。一方、共振周波数を利用して水平伸縮素子１０及び垂直伸縮素子１２を駆動する場合には、圧電体には機械的品質係数Ｑｍの大きい材料を用いることが好ましい。具体的には、チタン酸ジルコン酸鉛Ｐｂ（ｚｒ，Ｔｉ）Ｏ3からなる圧電セラミックスを用いることができる。
【実施例１】
【００４１】
図１の構造を有する圧電アクチュエータ１を作製した。
チタン酸ジルコン酸鉛Ｐｂ（ｚｒ，Ｔｉ）Ｏ3からなる粒径０．３〜２μｍの圧電体セラミックスの仮焼粉末と、有機高分子からなるバインダーと、可塑剤とを混合してスラリーを作成し、スリップキャステイング法により、厚み５０μｍのセラミックグリーンシートを作成した。
【００４２】
次に内部電極を形成するため、銀−パラジウムを主成分とする導電性ペーストを作製した。導電性ペースト中には、粒径０．２〜１．５μｍの圧電セラミック仮焼粉末を１５体積％添加した。この後、導電性ペーストを、グリーンシートの片面にスクリーン印刷法により図１０（ａ）〜図１０（ｄ）のパターンに５μｍの厚みに印刷した。
図１０（ａ）と図１０（ｂ）は、長方形状のグリーンシートの中央部に、導電性ペーストの形成されない部分があるパターンを示している。導電性ペーストの片方は第１変位部（Ａ）１３の内部電極となる部分であり、導電性ペーストの他の片方は第２変位部（Ｂ）１４の内部電極となる部分である。また、各グリーンシートの二隅には、内部電極が外部電極２６との不要な接触を避けるように、導電性ペーストを形成しない切欠部を設けている。
【００４３】
図１０（ａ）と図１０（ｂ）のパターンのグリーンシートを交互に計４枚重ね、一番上に導電ペーストを印刷していないグリーンシートを重ね、熱プレスにより一体化した後１１００℃で焼成した。焼成して得られた積層体には、必要に応じて切削加工や研削加工を施した。外部電極は、所定の位置に銀ペーストを印刷し、所定温度で焼き付けることによって形成した。
【００４４】
焼成して得られた積層体の第１変位部（Ａ）１３の内部電極を１層おきに外部電極で電気的に接続し、第２変位部（Ｂ）１４の内部電極を１層おきに外部電極で電気的に接続し、水平伸縮素子１０を得た。
次に、図１０（ｃ）と図１０（ｄ）のパターンのグリーンシートを交互に計９枚重ね、一番上に導電ペーストを印刷していないグリーンシートを重ね、熱プレスにより一体化した後１１００℃で焼成した。ここで、図１０（ｃ）と図１０（ｄ）は、長方形状のグリーンシートのほぼ全面に、導電性ペーストを形成したパターンを示している。グリーンシートの右又は左の切欠部は、内部電極が外部電極２９との不要な接触をしないように設けた、導電性ペーストを形成しない部分である。
【００４５】
焼成して得られた積層体には、必要に応じて切削加工や研削加工を施した。外部電極は、所定の位置に銀ペーストを印刷し、所定温度で焼き付けることによって形成した。
内部電極を外部電極によって１層おきに電気的に接続し、垂直伸縮素子１２を得た。
次に、エポキシ系接着剤を用いて、水平伸縮素子１０と垂直伸縮素子１２の端部同士を接合した。エポキシ系接着剤は硬化しても体積が縮まないので、空洞Ｓを形成するための接合部１１としての機能を果たすことができる。
【００４６】
次に、水平伸縮素子１０の中央に、駆動用パッドとしてアルミナセラミックスを、エポキシ系接着剤で固定した。駆動用パッドの材質は、耐摩耗性のある材料が望ましく、アルミナ以外では、窒化珪素、炭化珪素、サイアロン、炭化チタン、窒化チタン等のセラミックスを挙げることができる。
最後に、第１変位部（Ａ）１３、第２変位部（Ｂ）１４、垂直伸縮素子１２に対して、外部電極から直流電圧を印加して分極処理を行った。
【００４７】
このようにして圧電アクチュエータ１が完成した。
前記エポキシ系接着剤の接合位置同士の距離、すなわち空洞Ｓの、ｘ方向に沿った長さ（図１にＤ１で示す）が、水平伸縮素子１０のｘ方向に沿った全長さ（図１にＤ２で示す）の５０％以上であることが好ましい。
また、空洞Ｓの、ｘ方向に沿った長さが、垂直伸縮素子１２のｘ方向に沿った全長さ（図１にＤ３で示す）の５０％以上であることが好ましい。
【００４８】
このように空洞ＳのＤ１とＤ２の関係、又はＤ１とＤ３との関係を規定することにより、第１変位部（Ａ）１３と第２変位部（Ｂ）１４との境界がｘ方向に移動するのを妨げることがなくなり、駆動パッド１５に、大きな振幅でｘ軸方向の往復運動をさせることができる。
【実施例２】
【００４９】
図８の構造を有する圧電アクチュエータ１を作製した。実施例１との相違点は、グリーンシートの片面に印刷する導電性ペーストのパターン（図１１（ｂ））である。
図１１（ｂ）は、長方形状のグリーンシートの全面に導電性ペーストが形成されたパターンを示している。
図１１（ａ）と図１１（ｂ）のパターンのグリーンシートを交互に計４枚重ね、一番上に導電ペーストを印刷していないグリーンシートを重ね、焼成することにより、第１変位部（Ａ）１３と第２変位部（Ｂ）１４とのグランドに接続される電極を一体化することができる。これにより、水平伸縮素子１０の外部電極２６の数を３つ（１つは第１変位部駆動用、１つは第２変位部駆動用、１つは共通電極）とすることができ、水平伸縮素子１０の電極構造を簡単にすることができる。
【実施例３】
【００５０】
実施例１，２では、水平伸縮素子１０と垂直伸縮素子１２をエポキシ系接着材で接合したが、この実施例３では、工程削減のために、水平伸縮素子１０と垂直伸縮素子１２とを積層一体型とした図９の構造を有する圧電アクチュエータ１を作製した。
実施例１，２との相違点は、グリーンシートの片面に印刷する導電性ペーストのパターン（図１２（ｅ）（ｆ））である。
【００５１】
図１２（ｅ）（ｆ）は、長方形状のグリーンシートの片面に、圧電材料が焼成するまでに加熱によって飛散又は消失するグラファイトを主成分とする空孔形成ペーストを印刷した状態を示す図である。図１２（ｅ）は、グリーンシートの下面に、図１２（ｆ）は、グリーンシートの上面に、それぞれ空孔形成ペーストを印刷したものである。
まず、図１２（ｃ）と図１２（ｄ）のグリーンシートを交互に計９枚重ね、次に空孔形成ペーストを印刷した図１１（ｆ）と図１１（ｅ）のグリーンシートを重ねた。図１１（ｆ）と図１１（ｅ）のグリーンシートを重ねた状態の断面図を、図１３に示す。
【００５２】
次にその上から図１２（ａ）と図１２（ｂ）のグリーンシートを交互に計４枚重ね、一番上に導電ペーストを印刷していないグリーンシートを重ねて積層体を形成した。
この積層体を熱プレスにより一体化した後１１００℃で焼成し、内部に空孔が形成された一体型圧電積層体を得た。この場合、空孔形成ペーストは消失して、焼成後に空洞Ｓが形成された圧電アクチュエータを得た。
【００５３】
この実施例３においても、エポキシ系接着剤の接合位置同士の距離、すなわち空洞Ｓの、ｘ方向に沿った長さ（図１３にＤ１で示す）が、水平伸縮素子１０のｘ方向に沿った全長さ、又は垂直伸縮素子１２のｘ方向に沿った全長さ（図１にＤ３で示す）の５０％以上であることが、駆動パッド１５に、大きな振幅でｘ軸方向の往復運動をさせるためには、好ましい。
【図面の簡単な説明】
【００５４】
【図１】本発明の圧電アクチュエータの一実施形態を示す断面図である。
【図２】圧電アクチュエータの斜視図である。
【図３】図３は、圧電アクチュエータと移動体とを、電極を省略して模式化して描いた図である。
【図４】圧電アクチュエータ１の動作原理を説明する図である。
【図５】水平伸縮素子１０の印加電圧と変位の関係を説明する図である。
【図６】垂直伸縮素子１２の印加電圧と変位の関係を説明する図である。
【図７】駆動パッド１５の楕円状の動きを説明する図である。
【図８】本発明の圧電アクチュエータ１の他の実施形態を示す断面図である。
【図９】本発明の圧電アクチュエータ１のさらに他の実施形態を示す断面図である。
【図１０】図１の圧電アクチュエータ１の内部電極パターンを示す図である。
【図１１】図８の圧電アクチュエータ１の内部電極パターンを示す図である。
【図１２】図９の圧電アクチュエータ１の内部電極パターンを示す図である。
【図１３】空孔形成ペーストが塗布されたグリーンシートを重ねた状態を示す断面図である。
【図１４】従来の構造の圧電アクチュエータを示す断面図である。
【図１５】内部電極が露出する積層体の側面に移動体を接触させる従来の圧電アクチュエータの改良方式を示す断面図である。
【符号の説明】
【００５５】
１  圧電アクチュエータ
２  移動体
１０  水平伸縮素子
１１  接合部
１２  垂直伸縮素子
１３  第１変位部（Ａ）
１４  第２変位部（Ｂ）
１５  駆動パッド
２１，２５  圧電体
２２，２２Ａ，２２Ｂ，２６  内部電極
２７，２８  保持部材
Ｓ  空洞
【図１】
2007325337.tif 000003
【図２】
2007325337.tif 000004
【図３】
2007325337.tif 000005
【図４】
2007325337.tif 000006
【図５】
2007325337.tif 000007
【図６】
2007325337.tif 000008
【図７】
2007325337.tif 000009
【図８】
2007325337.tif 000010
【図９】
2007325337.tif 000011
【図１０】
2007325337.tif 000012
【図１１】
2007325337.tif 000013
【図１２】
2007325337.tif 000014
【図１３】
2007325337.tif 000015
【図１４】
2007325337.tif 000016
【図１５】
2007325337.tif 000017